(57)【特許請求の範囲】
【請求項１】
ドア枠に扉を開閉自在に取付けたドアであって、
前記扉は、扉本体の室外側面に、この扉本体の上下寸法と同一長さの化粧材を、その室外側面における見付け方向ほぼ全長に亘って取付けた形態で、
前記化粧材は、扉本体の上下方向に連続した複数の化粧材を見付け方向に順次取付けたもので、その見付け方向一側部の化粧材の見付け方向一側部が扉本体の一方の外面よりも側方に突出し、前記ドア枠の扉受け用縦材の室外側に突出して扉本体の一方の外面と前記扉受け用縦材の内面との隙間を閉塞し、
前記扉本体の室外側面と化粧材の裏面との間に、扉の上面と下面に開口し上下方向に連続する空間部を見付け方向ほぼ全長に亘って有し、
前記ドア枠を形成する上枠の室外側面における下端部を、前記空間部の上部と対向すると共に、その上枠の内面における室外寄りにレインバリアを装着して上枠の室外側面に沿って流れた雨水等が空間部に流れ落ちるようにしたことを特徴とするドア。
【発明の詳細な説明】
【０００１】
【発明の属する技術分野】
本発明は、玄関ドアや勝手口ドアなどのドア枠に扉を開閉自在に取付けたドアに関する。
【０００２】
【従来の技術】
特許文献１に、框組体にパネルを装着した扉をドア枠に開閉自在に取付け、框組体を形成する一方の縦框に側部閉塞部材を取付け、この側部閉塞部材をドア枠を形成する一方の縦枠の室外側に突出させ、一方の縦框の外面と一方の縦枠の内面との間の隙間を閉塞することで、前述の隙間にバール等を挿入して扉をこじ開けることを防止できるようにしたドアが開示されている。
特許文献２に、扉本体の室外側面にアルミ型材を取付けたドア用の扉が開示されている。
特許文献３に、扉本体の室外側面に化粧モールを取付けると共に、扉本体の一方の縦部に側部閉塞部材を取付けて扉とし、この扉をドア枠に開閉自在に取付けたドアが開示されている。
【０００３】
【特許文献１】
実開昭５５−６５３９５号公報
【特許文献２】
実公昭５８−４９３５４号公報
【特許文献３】
特開２００２−２９５１３８号公報
【０００４】
【発明が解決しようとする課題】
特許文献１に開示されたドアは、扉が側部閉塞部材を備えているので、防犯上好ましい。
しかし、その側部閉塞部材と一方の縦框が別体であると共に、側部閉塞部材が一方の縦框の室外側面よりも室外側に突出しているので、扉を室外から見た時に、側部閉塞部材と一方の縦框の境目が見えると共に、側部閉塞部材が室外側に突出して見える。
よって、扉を室外側から見た時に側部閉塞部材が著しく目立ち、扉の外観が見栄え悪い。
【０００５】
特許文献２に開示された扉であれば、扉の外観が見付け方向に一様に連続した形態で見栄えが良いが、この扉は側部閉塞部材を備えていない。
この扉は、扉本体の室外側面に、見付け方向に長尺なアルミ型材を上下方向に順次複数取付けたものであるから、前述の側部閉塞部材を備えた扉とするには、扉本体の一方の縦部に側部閉塞部材を取付けることになり、扉を室外側から見た時に、その側部閉塞部材とアルミ型材の境目が見え側部閉塞部材が目立ち、その扉の外観の見栄えが悪い。
【０００６】
特許文献３に開示されたドアであれば、異なる化粧モールを取付けることで外観の異なる扉とすることができるが、この化粧モールは扉本体の見付け方向中間部分に取付けてあるので、扉の外観は、扉本体の見付け方向中間部が見付け方向両側部よりも突出した形態となり、扉の外観が見栄え悪い。
【０００７】
本発明は、前述の課題に鑑みなされたものであって、その目的は、防犯上好ましいと共に、扉の外観が見栄え良いドアを提供することである。
【０００８】
【課題を解決するための手段】
本発明は、ドア枠に扉を開閉自在に取付けたドアであって、
前記扉は、扉本体の室外側面に、この扉本体の上下寸法と同一長さの化粧材を、その室外側面における見付け方向ほぼ全長に亘って取付けた形態で、
前記化粧材は、扉本体の上下方向に連続した複数の化粧材を見付け方向に順次取付けたもので、その見付け方向一側部の化粧材の見付け方向一側部が扉本体の一方の外面よりも側方に突出し、前記ドア枠の扉受け用縦材の室外側に突出して扉本体の一方の外面と前記扉受け用縦材の内面との隙間を閉塞し、
前記扉本体の室外側面と化粧材の裏面との間に、扉の上面と下面に開口し上下方向に連続する空間部を見付け方向ほぼ全長に亘って有し、
前記ドア枠を形成する上枠の室外側面における下端部を、前記空間部の上部と対向すると共に、その上枠の内面における室外寄りにレインバリアを装着して上枠の室外側面に沿って流れた雨水等が空間部に流れ落ちるようにしたことを特徴とするドアである。
【００１２】
【作用】
本発明によれば、複数の化粧材における見付け方向一側部の化粧材の見付け方向一側部が側部閉塞部材の役目を果たすので、防犯上好ましい。
複数の化粧材は扉本体の室外側面のほぼ全面に亘って取付けられ、かつその見付け方向一側部の化粧材における見付け方向一側部が側部閉塞部材であるから、扉を室外から見た時に化粧材が見えるだけである。
よって、扉の外観の見栄えが良い。
また、上枠の室外側面に沿って流れた雨水等は、その室外側面の下端部から扉の空間部に流れ落ち、その空間部を通して排水できる。
よって、上枠の室外側面に沿って流れた雨水等が化粧材の室外側面に沿って流れ落ちることがなく、その雨水等の流れ落ちによって化粧材の室外側面を汚すことがない。
また、複数の化粧材で化粧材を形成したので、その一つの化粧材の見付け寸法を小さくでき、その化粧材をアルミ押出形材とすることが可能である。
【００１６】
【発明の実施の形態】
図１に示すように、ドア枠１に扉２を開閉自在に取付けてドアとしてある。
この実施の形態では、扉２の両側に袖部３をそれぞれ有する両袖タイプのドアとしてある。これに限ることはなく、扉２の一側に袖部３を有する片袖タイプのドア、袖部３を有していない袖無しドアであっても良い。
前記ドア枠１は上枠１０と下枠１１と左右の縦枠１２と左右の縦中骨１３で扉取付用開口部１４と一対の袖開口部１５を有する形状である。前記扉取付用開口部１４を形成する一方の縦中骨１３と扉２の戸先側部とに亘って図２に示すように錠１６が設けてあると共に、扉２の戸尻側部と他方の縦中骨１３がヒンジ１７で室内外側方向に回動自在に連結してあり、袖開口部１５にガラス１８等が装着してある。
前述した片袖タイプのドアのドア枠１は縦中骨１３が１つで、袖無しドアのドア枠１は縦中骨を備えていない。
【００１７】
前記扉２は図２、図３に示すように、扉本体２０の室外側面に化粧材２１を取付けた形態で、この化粧材２１は扉本体２０の上下寸法と同一長さで、かつ扉本体２０の室外側面における見付け方向ほぼ全長に亘って取付けてある。すなわち、化粧材２１は扉本体２０の室外側面のほぼ全面に取付けてある。
前記化粧材２１の見付け方向一側部２１ａ（戸先側部）は扉本体２０の見付け方向一端面、つまり一方の外面２０ａ（戸先側の外面２０ａ）よりも側方に突出し、前記一方の縦中骨１３の室外側に突出して側部閉塞部材としてある。
つまり、扉本体２０の一方の外面２０ａと一方の縦中骨１３の内面１３ａとの間の隙間を化粧材２１の見付け方向一側部２１ａで閉塞している。
【００１８】
このようであるから、扉２の外観は化粧材２１が見えるだけであり、その見付け方向一側部２１ａが目立つことがないから、扉２の外観の見栄えが良い。
また、化粧材２１の見付け方向一側部２１ａが側部閉塞部材の役目を果たすので、防犯上好ましい。
【００１９】
前記化粧材２１の見付け方向一側部２１ａと他の部分との境目部分は室外から視認できないことが好ましい。
例えば、その見付け方向一側部２１ａが他の部分と面一に連続して段差部がないようにしてある。
このようにすることで、扉２を室外から見た時に化粧材２１が見付け方向に一様に連続した外観となるから、見栄えが著しく向上する。
【００２０】
前述した片袖タイプのドアの場合には扉本体２０の見付け方向他側部をヒンジ１７で他方の縦枠１２に取付ければ良い。
前述した袖無しドアの場合には、化粧材２１の見付け方向一側部２１ａを、一方の縦枠１２の室外側に突出させ、扉本体２０の見付け方向他側部と他方の縦枠１２をヒンジ１７で連結すれば良い。
すなわち、化粧材２１の見付け方向一側部２１ａは、ドア枠１における扉本体２０の一方の外面２０ａと隙間を置いて対向した扉受け用縦材の室外側に突出すれば良い。
【００２１】
前記扉２の室外側部には、化粧材２１の上面２１ｂと下面２１ｃに開口した上下方向に連続する空間部２２が形成してある。例えば、化粧材２１は表面板２３と、取付部２４を有し、その取付部２４を扉本体２０の室外側面に取付けることで、その表面板２３の裏面と扉本体２０の室外側面との間に空間部２２を形成している。
【００２２】
このようであるから、図３に示すように、上枠１０の室外側面１０ａに沿って流れ落ちた雨水等が空間部２２を通して排水されるので、その雨水等が室内側に入り込むことを防止できる。また、前述の雨水等が化粧材２１の室外側面に沿って流れ落ちることがなく、その雨水等で化粧材２１の表面を汚すことがない。
つまり、上枠１０の室外側面１０ａに沿って流れ落ちた雨水等は、この室外側面１０ａに付着したほこり等によって汚れていることがある。この汚れた雨水等が化粧材２１の室外側面に沿って流れ落ちると線状の汚れが発生することがある。
【００２３】
例えば、図３に示すように化粧材２１を上枠１０の室外側面１０ａにおける下端部よりも室外側に突出させ、その上枠１０の室外側面１０ａ下端部が前述の空間部２２の上部と対向させることで、上枠１０の室外側面１０ａに沿って流れた雨水等が直接空間部２２内に流れ落ち、その空間部２２の下部から排水されるので、扉２の上面２ｂと上枠１０の内面１０ｂとの間から雨水等が室内側に入り込むことを防止できるし、化粧材２１の室外側面に沿って流れ落ちることがない。図３において、上枠１０の内面１０ｂにおける室外寄りにレインバリア２５が装着され、このレインバリア２５が化粧材２１の上面２１ｂと対向している。
【００２４】
次に、化粧材２１の具体形状の一例を説明する。
図１に示すように、化粧材２１は縦長の複数の化粧材を見付け方向に順次取付けたものである。
例えば、一側化粧材３０と、複数の中間化粧材４０と、他側化粧材５０で化粧材２１としてある。前記各化粧材３０，４０，５０は扉本体２０とほぼ同一長さで、隣接した化粧材間に上下方向に連続した縦溝部２１ｄをそれぞれ形成している。
前記一側化粧材３０の見付け方向一側部が一方の縦中骨１３の室外側に突出して側部閉塞部材としてある。
【００２５】
前記一側化粧材３０は図４（ａ）に示すように、表面板３１の裏面に複数の取付部３２を見付け方向に間隔を置いて一体的に有し、この取付部３２は突片３２ａと横向片３２ｂで鉤形状である。前記表面板３１の見付け方向一端部３１ａがほぼ鉤形状で側部閉塞部材を形成している。
前記表面板３１の裏面における見付け方向一端寄りに係止部３３が一体的に設けてある。この係止部３３は突片３３ａと横向片３３ｂで鉤形状である。
前記表面板３１の見付け方向他端部に横向板３４が一体的に設けてある。この横向板３４は見付け方向他端部の取付部３２に、横向片３２ｂと見込み方向に同一位置として一体的に設けてある。
【００２６】
前記中間化粧材４０は図４（ｂ）に示すように、表面板４１の裏面に中間取付部４２、一端取付部４３、他端取付部４４を一体的に設けてあると共に、見付け方向他端部に横向板４５が一体的に設けてある。
前記中間取付部４２は突出片４２ａと横向片４２ｂで断面Ｔ字形状である。
前記一端取付部４３は突片４３ａと横向片４３ｂでほぼ鉤形状で、その横向片４３ｂはほぼクランク形状で、段差部４３ｃを有する。
前記他端取付部４４は突片４４ａと横向片４４ｂでほぼ鉤形状で、その横向片４４ｂと連続して横向板４５が一体的に設けてある。
【００２７】
前記他側化粧材５０は図４（ｃ）に示すように、表面板５１の裏面に中間取付部５２、一側取付部５３、他端取付部５４を一体的に設けてある。
前記中間取付部５２は突出片５２ａと横向片５２ｂで断面Ｔ字形状である。
前記一端取付部５３は突片５３ａと横向片５３ｂでほぼ鉤形状で、その横向片５３ｂはほぼクランク形状で、段差部５３ｃを有する。
前記他端取付部５４は突片５４ａと横向片５４ｂでほぼ鉤形状で、その横向片５４ｂは階段形状で重なり部５４ｃを有する。
前述の説明で、突片とは見込み方向に向う片で、横向片とは見付け方向に向う片で、横向板とは見付け方向に向う板である。
【００２８】
図５に示すように、各化粧材３０，４０，５０の取付部の横向片３２ｂ，４２ｂ，４３ｂ，４４ｂ，５２ｂ，５３ｂ，５４ｂが扉本体２０の室外側面に固着、例えば接着剤や両面接着テープ等で接着して取付けてある。
そして、中間化粧材４０の一端取付部４３の段差部４３ｃが一側化粧材３０の横向板３４、隣接した他の中間化粧材４０の横向板４５にそれぞれ接すると共に、他側化粧材５０の一端取付部５３の段差部５３ｃが隣接した中間化粧材４０の横向板４５に接している。
【００２９】
これによって、各表面板３１，４１，５１が同一面となるように連続する。
また、各表面板３１，４１，５１と扉本体２０の室外側面との間に上下に連続した空間部２２を形成する。
また、各隣接した化粧材間に縦溝部２１ｄを形成できると共に、その縦溝部２１ｄから扉本体２０の表面が見えないようにしてある。
【００３０】
次に、扉本体２０の具体形状の一例を説明する。
扉本体２０は図２と図３に示すように、芯材６０の室内側面と室外側面を室内側表面板６１と室外側表面板６２で覆ったもので、その芯材６０は戸先側縦材６３と戸先側縦材６４を備えている。
【００３１】
前記戸先側縦材６３は図５に示すように、係止部６３ａを備え、この係止部６３ａに前記一側化粧材３０の係止部３３、例えば横向片３３ｂが係止し、その一側化粧材３０の見付け方向一側部（化粧材２１の見付け方向一側部２１ａ）を扉本体２０に機械的に連結している。
これによって、一側化粧材３０の見付け方向一側部（化粧材２１の見付け方向一側部２１ａ）が室外側に変位することが防止され、その部分が板状であっても反り変形することがない。
なお、一側化粧材３０の見付け方向一側部を扉本体２０の戸先側縦材６３にビス止めしても良い。すなわち、一側化粧材３０の見付け方向一側部（化粧材２１の見付け方向一側部２１ａ）と戸先側縦材６３（扉本体２０の一方の外面２０ａ）を機械的に連結すれば良い。
【００３２】
前記戸尻側縦材６４は図５に示すように、室外側横向片６４ａを備え、この室外側横向片６４ａが室外側表面板６２の室外側面に接している。
前記他側化粧材５０は、その他端取付部５４の重なり部５４ｃが室外側横向片６４ａに重なり合うと共に、横向片５４ｂが室外側表面板６２に接するように取付けられる。
これによって、他側化粧材５０は重なり部５４ｃの見付け寸法相当だけ見付け方向に移動して取付けることが可能であるから、扉本体２０、各化粧材の見付け寸法に誤差がある場合に、一側化粧材３０から順次取付けて最後に他側化粧材５０を取付けることによって、各縦溝部２１ｄの幅を同一として取付けることができる。
【００３３】
次に、化粧材の取付けの具体例を説明する。
図５と図６に示すように、各化粧材３０，４０，５０の下端部に端部キャップ７０がそれぞれ取付けてある。
この端部キャップ７０は図６に示すように、隣接した取付部間に嵌合する本体７１と、この本体７１の下部に設けられ各化粧材３０，４０，５０の下端面に接する鍔７２と、前記本体７１に設けた突起７３を備え、その鍔７２に排水用切欠き７２ａが形成してある。
例えば、本体７１は中間化粧材４０の中間取付部４２と一端取付部４３との間、中間取付部４２と他端取付部４４との間に嵌合して取付けられる。
各取付部の横向片に両面接着テープが貼着してある。例えば、中間化粧材４０の各取付部４２，４３，４４の横向片４２ｂ、４３ｂ、４４ｂに両面接着テープ７４が貼着してある。
扉本体２０の室外側表面板６２に取付穴６５が各端部キャップ７０の突起７３と相対向してそれぞれ形成してある。
この取付穴６５は突起７３が嵌まり込むと共に、見付け方向の長穴である。
【００３４】
まず最初に、一側化粧材３０の係止部３３を戸先側縦材６３の係止部６３ａに係止しながら端部キャップ７０の突起７３を取付穴６５に嵌め込んで上下方向に位置決めし、両面接着テープ７４を室外側表面板６２に接着して取付ける。
次に、中間化粧材４０を前述と同様に端部キャップ７０の突起７３を取付穴６５に嵌め込んで上下方向に位置決めし、突起７３を取付穴６５に沿って見付け方向に移動して見付け方向に位置決めし、両面接着テープ７４を室外側表面板６２に接着して取付け、一端取付部４３の段差部４３ｃを一側化粧材３０の横向板３４に接して取付ける。
次に、他の中間化粧材４０を同様にして順次取付け、最後に他側化粧材５０を前述と同様にして取付ける。
【００３５】
この実施の形態では、芯材６４は断熱材で、室内側表面板６１、室外側表面板６２は鋼板で、扉本体２０は断熱性に優れたものとしてある。
前記各化粧材３０，４０，５０はアルミ押出形材である。
このように、扉本体２０を断熱性に優れたものとした場合に、その扉本体２０の室外側表面板６２（室外側面）と化粧材２１、例えば各化粧材３０，４０，５０との間に空間部２２を形成することで、その空間部２２が空気層となるから、化粧材２１と扉本体２０との間の熱伝達が低減し、室内側表面板６１と室外側表面板６２の温度差が低減して熱反りを押えることができる。
【００３６】
また、前記上枠１０、縦枠１２、縦中骨１３は図２と図３に示すように、金属製の室内側部材８０と金属製の室外側部材８１を断熱材８２で連結した断熱形材で、上枠１０、縦中骨１３の室外側部材８１で囲まれた室外側の開口部に扉２が開閉自在に取付けてある。
これによって、断熱性に優れたドアである。
【００３７】
前述の各化粧材３０，４０，５０は、その表面板３１，４１，５１を平坦面形状としたが、これに限ることはなく凹面形状、凸面形状、波面形状などとしても良い。
例えば、図７に示すように表面板３１を見付け方向両端部分が中央部分よりも室外側寄りとなるように滑らかな凹面形状とする。
【００３８】
前述の実施の形態では、隣接した化粧材の端部相互を重ね合うようにして取付けて縦溝部２１ｄから扉本体２０の室外側面が見えないようにしたが、隣接した化粧材の端部相互を離隔して縦溝部２１ｄから扉本体２０の室外側面が見えるようにしても良い。
【００３９】
また、前述の実施の形態では化粧材２１を複数の化粧材３０，４０，５０で形成したが、見付け方向に一体的に連続した形状としても良い。
【００４０】
前記扉本体２０の芯材６０は、ハニカム体、木製などでも良い。
前記化粧材は樹脂であっても良い。
【００４１】
【発明の効果】
請求項１に係る発明によれば、複数の化粧材における見付け方向一側部の化粧材の見付け方向一側部が側部閉塞部材の役目を果たすので、防犯上好ましい。
複数の化粧材は扉本体の室外側面のほぼ全面に亘って取付けられ、かつその見付け方向一側部の化粧材における見付け方向一側部が側部閉塞部材であるから、扉を室外から見た時に化粧材が見えるだけである。
また、上枠の室外側面に沿って流れた雨水等は、その室外側面の下端部から扉の空間部に流れ落ち、その空間部を通して排水できる。
よって、上枠の室外側面に沿って流れた雨水等が化粧材の室外側面に沿って流れ落ちることがなく、その雨水等の流れ落ちによって化粧材の室外側面を汚すことがない。
また、複数の化粧材で化粧材を形成したので、その一つの化粧材の見付け寸法を小さくでき、その化粧材をアルミ押出形材とすることが可能である。
【図面の簡単な説明】
【図１】本発明の実施の形態を示す両袖タイプのドアの外観図である。
【図２】図１の横断面図である。
【図３】図１の扉部分の縦断面図である。
【図４】化粧材の断面図である。
【図５】扉の拡大横断面図である。
【図６】扉本体と化粧材の斜視図である。
【図７】化粧材の他の例を示す断面図である。
【符号の説明】
１…ドア枠、２…扉、１０…上枠、１０ａ…室外側面、１３…縦中骨（扉受け用縦材）、１３ａ…内面、２０…扉本体、２０ａ…一方の外面、２１…化粧材、２１ａ…見付け方向一側部、２２…中空部、３０…一側化粧材、４０…中間化粧材、５０…他側化粧材。
【図１】
0003671400.tif 000002
【図２】
0003671400.tif 000003
【図３】
0003671400.tif 000004
【図４】
0003671400.tif 000005
【図５】
0003671400.tif 000006
【図６】
0003671400.tif 000007
【図７】
0003671400.tif 000008